(57)【特許請求の範囲】
【請求項１】
人の頭部を乗せる頭部支持部材と、前記頭部支持部材に人の頭部と頸部を乗せた状態で頸部が位置する頸部支持部材を備えた頭・頸・医療サポート枕であって、
前記頭部支持部材と前記頸部支持部材とは隣接しており、
前記頭部支持部材および前記頸部支持部材の少なくとも一方には、保持部材と調整部材とが取り付けられており、
前記保持部材は、前記調整部材の一部を保持するものであり、
前記調整部材は、前記保持部材に対してスライド移動可能に保持されており、
前記調整部材は、前記頭部支持部材の端部のうち前記頸部支持部材に隣接する端部の反対側の端部に固定部が設けられる調整部材を含む
ことを特徴とする頭・頸・医療サポート枕。
【請求項２】
請求項１に記載の頭・頸・医療サポート枕において、
前記調整部材は、前記頸部支持部材に取り付けられて、前記頸部支持部材の端部のうち前記頭部支持部材と隣接する端部と直交する両側端部に一端がそれぞれ固定される一対の調整部材を含み、
前記保持部材は、前記頸部支持部材の中央寄りに取り付けられて前記調整部材を保持する一対の保持部材を含む
ことを特徴とする頭・頸・医療サポート枕。
【請求項３】
請求項１〜２のいずれか一項に記載の頭・頸・医療サポート枕において、
当該頭・頸・医療サポート枕の中央部分には、当該頭・頸・医療サポート枕よりも体積の小さい小枕が取り付けられるとともに、
前記小枕には、前記調整部材および前記調整部材を保持する前記保持部材が取り付けられており、
前記調整部材の固定部は前記小枕の端部に取り付けられるとともに、前記保持部材は前記小枕の中央寄りに取り付けられている
ことを特徴とする頭・頸・医療サポート枕。
【請求項４】
請求項１〜３のいずれか一項に記載の頭・頸・医療サポート枕において、
前記調整部材は、前記頸部支持部材の端部のうち前記頭部支持部材に隣接する端部の反対側の端部に固定部が取り付けられる前記調整部材を含むものであり、
前記調整部材を保持する前記保持部材は、前記保持部材の内部に挿入された前記調整部材を挿入された方向に折り返す折り返し部が形成されている
ことを特徴とする頭・頸・医療サポート枕。
【請求項５】
請求項１〜４のいずれか一項に記載の頭・頸・医療サポート枕において、
前記保持部材は前記頸部支持部材または前記頭部支持部材に着脱可能に取り付けられている
ことを特徴とする頭・頸・医療サポート枕。
【請求項６】
請求項１〜５のいずれか一項に記載の頭・頸・医療サポート枕において、
前記頭部支持部材に設けられる一対の頭部固定部と、前記各頭部固定部に対してそれぞれ着脱可能である一対の着脱部とを備え、前記着脱部は同一のベルトにそれぞれ固定されてなる
ことを特徴とする頭・頸・医療サポート枕
【発明の詳細な説明】
【技術分野】
【０００１】
本発明は、通常の頭・頸枕および医療現場で使用される頭・頸・医療サポート枕に関する。
【背景技術】
【０００２】
従来、ベッドや床に仰臥した使用者の頭部等を支持するために、枕が広く使用されている。このような従来の枕は、その形状が予め設定されている。しかしながら、使用者の体型には個人差があり、使用者は使用者自身に適した形状の枕を選択し、使用している。【０００３】
ところで、使用者自身に適した枕を選択したとしても、使用に伴う経年劣化や、枕の個体差等により、使用者はその形状の枕を使用することに不具合を感じることがある。そこで、従来、使用者が使用者自身の体型に合わせて、気体、液体、固体といった素材を用いて形状を調整することができる枕が提供されている。【０００４】
このような枕として、素材が固体では、例えば、特許文献１に記載の枕がある。この特許文献１に記載の枕によれば、使用者は枕本体に調整用プレートを挿入し、あるいは抜き取ることによりその形状を調整することができる。また、特許文献２には、枕袋に取り付けられたベルトの長さを調整することにより、形状を変更することのできる枕が記載されている。
【先行技術文献】
【特許文献】
【０００５】
【特許文献１】特開２００５−５２２１０号公報
【特許文献２】特許第３９８５２５６号公報
【発明の概要】
【発明が解決しようとする課題】
【０００６】
ところで、枕の形状を使用者の体型に合わせるためには、使用者が枕に頭部と頸部を乗せた状態で、枕の形状を調整することが好ましい。また、病院や介護施設等において、頭部と頸部を動かすことができない患者や被介護者等が枕を使用する場合は、使用者が枕に頸部と頭部を乗せた状態で、看護者や介護者等が枕の形状を調整することが望まれる。【０００７】
しかしながら、特許文献１および特許文献２に記載の枕は、使用者が頭部と頸部を乗せた状態で枕の形状を調整することはできない。なお、このような問題は特許文献１等に記載の枕に限られるものではなく、その形状を調整することができる枕において概ね共通したものとなっている。【０００８】
本発明は、上記実情に鑑みてなされたものであり、使用者自身または使用者に対して第三者（例、介護者等）が、頭部と頸部を乗せた状態で高さ、長さ、幅および角度の大小といった枕の形状を調整することができる、頭・頸・医療サポート枕を提供することを目的とする。
【課題を解決するための手段】
【０００９】
本発明は、上記課題を解決するためになされたものであり、人の頭部を乗せる頭部支持部材と、前記頭部支持部材に人の頭部と頸部を乗せた状態で頸部が位置する頸部支持部材を備えた頭・頸・医療サポート枕であって、前記頭部支持部材と前記頸部支持部材とは隣接しており、前記頭部支持部材と前記頸部支持部材の少なくとも一方には、保持部材と調整部材とが取り付けられてある。前記保持部材は、当該頭・頸・医療サポート枕の中央寄りに取り付けられて、前記調整部材の一部を保持するものである。前記調整部材は、前記保持部材に対してスライド移動可能に保持されており、前記保持部材から当該頭・頸・医療サポート枕の端部に向かって延出する把持部と、前記頭部支持部材の端部のうち前記頸部支持部材と隣接していない端部、もしくは前記頸部支持部材の端部のうち前記頭部支持部材と隣接していない端部に固定される固定部とを含んで構成されることを特徴としている。【００１０】
このような構成によれば、把持部が保持部材から頭・頸・医療サポート枕の端部に向けて延出しているため、頭・頸・医療サポート枕の使用者自身または使用者に対して第三者（例、介護者等）が、頭・頸・医療サポート枕に頭部と頸部を乗せた状態で、把持部を頭・頸・医療サポート枕の端部に向けて引っ張ることができる。このように把持部が頭・頸・医療サポート枕の端部に向けて引っ張られると、調整部材が保持部材に対してスライド移動し、固定部が保持部材に対して近接する。
ここで、固定部は、頭部支持部材の端部のうち頸部支持部材と隣接していない端部もしくは頸部支持部材の端部のうち頭部支持部材と隣接していない端部に設けられている。
そのため、固定部が保持部材に対して近接すると、当該固定部が取り付けられる部材の端部が、保持部材の取り付けられる中央部分に近接することとなり、この部材の寸法が小さくなる。したがって、使用者が頭・頸・医療サポート枕に頸部・頭部を乗せた状態で、頭部支持部材もしくは頸部支持部材の寸法を調整することができる。また、調整部材をゆるめることにより、頭・頸・医療サポート枕の寸法を大きくすることができる。これにより、頭・頸・医療サポート枕の形状を調整することができるようになる。
また、調整部材を保持する保持部材が設けられているため、調整部材と頭・頸・医療サポート枕との間に摩擦が発生することを抑制し、調整部材を動かしやすくなる。【００１１】
本発明は、前記調整部材が、前記頸部支持部材の端部のうち前記頭部支持部材に隣接する端部の反対側の端部に固定部が設けられる調整部材を含むことを特徴としている。【００１２】
このような構成によれば、使用者が、頭・頸・医療サポート枕に頸部と頭部を乗せた状態で調整部材を引っ張ることにより、頸部支持部材の端部のうち頭部支持部材に隣接する端部の反対側の端部を保持部材が取り付けられる中央部分に近接させる。そして、頸部支持部材の寸法を小さくすることで、頸部支持部材の寸法を調整することができるようになる。また、調整部材をゆるめることにより、頭・頸・医療サポート枕の寸法を大きくすることができる。【００１３】
本発明は、前記調整部材が、前記頭部支持部材の端部のうち前記頸部支持部材に隣接する端部の反対側の端部に固定部が設けられる調整部材を含むことを特徴とする。【００１４】
このような構成によれば、使用者が頭・頸・医療サポート枕に頭部と頸部を乗せた状態で調整部材を引っ張ることにより、頭部支持部材の端部のうち頸部支持部材に隣接する端部の反対側の端部を保持部材が取り付けられる中央部分に近接させる。そして、頭部支持部材の寸法を小さくすることで、頭部支持部材の寸法を調整することができるようになる。また、調整部材をゆるめることにより、頭・頸・医療サポート枕の寸法を大きくすることができる。【００１５】
本発明は、前記調整部材が、前記頸部支持部材に取り付けられて、前記頸部支持部材の端部のうち前記頭部支持部材と隣接する端部と直交する両側端部に一端がそれぞれ固定される一対の調整部材を含み、前記保持部材は、前記頸部支持部材の中央寄りに取り付けられて前記調整部材を保持する一対の保持部材を含むことを特徴とする。【００１６】
このような構成によれは、使用者が頭・頸・医療サポート枕に頭部を乗せた状態で調整部材を引っ張ることにより、頸部支持部材の側端部を、保持部材が取り付けられる頸部支持部材の中央寄りに近接させて、頸部支持部材を圧縮し、その高さ方向の寸法を大きくするとともに、長さ（巾）を短くすることができる。したがって、使用者が当該頭・頸・医療サポート枕に頸部と頭部を乗せた状態で頸部支持部材の高さ方向の寸法および長さ（巾）を調整することができるようになる。また、調整部材をゆるめることにより、頭・頸・医療サポート枕の高さ方向の寸法を小さくするとともに、長さ（巾）を長くすることができる。【００１７】
本発明は、当該頭・頸・医療サポート枕の中央部分に、当該頭・頸・医療サポート枕よりも体積の小さい小枕が取り付けられるとともに、前記小枕には、前記調整部材および前記調整部材を保持する前記保持部材が取り付けられている。また前記調整部材の固定部は前記小枕の端部に取り付けられるとともに、前記保持部材は前記小枕の中央寄りに取り付けられていることを特徴としている。【００１８】
このような構成によれば、使用者が頭・頸・医療サポート枕に頸部および頭部を乗せた状態で調整部材を引っ張ることにより、小枕の端部を、保持部材が取り付けられる小枕の中央部分に近接させて、小枕の寸法を小さくすることができる。また、調整部材をゆるめることにより、頭・頸・医療サポート枕の寸法を大きくすることができる。このように、使用者が頭・頸・医療サポート枕に頭部および頸部を乗せた状態で、小枕の寸法のみを調整することができるようになる。【００１９】
本発明は、前記調整部材が、前記頸部支持部材の端部のうち前記頭部支持部材に隣接する端部の反対側の端部に固定部が取り付けられる前記調整部材を含むものであり、前記調整部材を保持する前記保持部材は、前記保持部材の内部に挿入された前記調整部材を挿入された方向に折り返す折り返し部が形成されていることを特徴としている。【００２０】
このような構成によれば、保持部材の内部に挿入された調整部材は、折り返し部を介してその挿入された方向、すなわち頸部支持部材の端部のうち頭部支持部材に隣接する端部の反対側の端部に向かって延出している。このため、使用者は、頸部と頭部をのせた状態で調整部材を引っ張ることにより、頸部支持部材の形状、ひいては頭・頸・医療サポート枕の形状を使用者自身で調整することができるようになる。【００２１】
なお、軸と前記軸を中心に回転可能な回転体を保持部材の内部に設けて、調整部材が保持部材内をスライド移動する際、この回転体が調整部材の移動とともに回転するようにしてもよい。【００２２】
本発明は、前記頭部支持部材および前記頸部支持部材が、それぞれ枕袋および同枕袋に充填される素材から形成され、前記頭部支持部材および前記頸部支持部材の端部には、前記素材を出し入れ可能とするファスナが設けられている。また前記ファスナの内側には内布が取り付けられてなることを特徴としている。【００２３】
頭部支持部材および頸部支持部材に充填される素材の量を増減することで、頭・頸・医療サポート枕の形状を調整することができる。しかしながら、使用者が頭部と頸部を乗せた状態で頭部支持部材もしくは頸部支持部材に設けられたファスナを開けると、使用者の頸部と頭部の重みにより、素材（特に素材として粒状充填材を採用した場合）が枕袋からすぐに漏れ出してしまうおそれがある。この点、このような構成によれば、頭部支持部材および頸部支持部材に設けられたファスナの内側には内布が取り付けられているため、頭部支持部材や頸部支持部材の劣化や破断といったことを除いては、ファスナを開けたときに、素材が外部に漏れ出すことを抑制することができるようになる。【００２４】
本発明は、前記保持部材が前記頸部支持部材または前記頭部支持部材に着脱可能に取り付けられていることを特徴としている。【００２５】
このような構成によれば、保持部材の取り付け位置を変更したり、保持部材が劣化したり汚れた場合に新しいものと取り換えることができる。【００２６】
本発明は、前記頭部支持部材に設けられる一対の頭部固定部と、前記各頭部固定部に対してそれぞれ着脱可能である一対の着脱部とを備え、前記着脱部は同一のベルトにそれぞれ固定されてなることを特徴としている。【００２７】
使用者の頭部を頭部支持部材に乗せたときに、使用者の頭部の重みによって頭部支持部材の形状が僅かに変形することがある。この点、このような構成によれば、各頭部固定部に着脱部をそれぞれ取り付けることにより、頭部支持部材を好ましい形状にした後、その形状を維持することができる。
この頭部支持部材と着脱部は、それぞれ面状ファスナから構成されることが好ましい。また、頭部支持部材をボタンをはじめとする留め具とし、着脱部をボタン穴をはじめとする当該留め具が着脱可能な部材としてもよい。さらに、頭部固定部は、使用者の頭部頭頂よりに位置するように固定することが好ましい。【００２８】
また、本発明は、頭部支持部材が第一支持部材と第二支持部材とに分割されていて、一方の前記頭部固定部は前記第一支持部材に取り付けられており、他方の前記頭部固定部は前記第二支持部材に取り付けられていることが好ましい。
【発明の効果】
【００２９】
本発明によれば、使用者が頭部と頸部を乗せて仰臥位にある状態で使用者自身または使用者に対して第三者（介護者等）が、形状を調整することができる頭・頸・医療サポート枕を得ることができる。
【図面の簡単な説明】
【００３０】
【図１】（ａ）は、本発明の第一実施形態にかかる頭・頸・医療サポート枕の概略構造を示す模式図、（ｂ）は、同実施形態にかかる頭・頸・医療サポート枕の使用状態を示す上面図。
【図２】第一実施形態にかかる頭・頸・医療サポート枕の底面構造を示す底面図。
【図３】（ａ）は、第一実施形態にかかる鞘およびベルトの斜視図、（ｂ）は、同実施形態にかかる鞘の断面構造を示す断面図、（ｃ）は、同実施形態にかかる鞘を頭・頸・医療サポート枕に取り付けた状態を示す側面図。
【図４】（ａ）および（ｂ）は、第一実施形態にかかる頭・頸・医療サポート枕の使用状態を示す側面図。
【図５】第一実施形態にかかる頭・頸・医療サポート枕の底面構造を示す底面図。
【図６】（ａ）および（ｂ）は、第二実施形態にかかる頭・頸・医療サポート枕の使用状態を示す正面図。
【図７】（ａ）および（ｂ）は、第二実施形態にかかる頭・頸・医療サポート枕の使用状態を示す正面図。
【図８】（ａ）および（ｂ）は、第二実施形態にかかる頭・頸・医療サポート枕の使用状態を示す側面図。
【図９】第三実施形態にかかる頭・頸・医療サポート枕の底面構造を示す底面図。
【図１０】（ａ）および（ｂ）は、第三実施形態にかかる頭・頸・医療サポート枕の使用状態を示す側面図。
【図１１】第四実施形態にかかる頭・頸・医療サポート枕の底面構造を示す底面図。
【図１２】（ａ）は、第五実施形態にかかる頭・頸・医療サポート枕の使用状態を示す側面図、（ｂ）は、同実施形態にかかる内布を枕袋の外部に引き出したときの構造を示す側面図。
【図１３】（ａ）は、第五実施形態にかかる頭・頸・医療サポート枕の概略構造を示す斜視図、（ｂ）は、同実施形態にかかる内布の折りたたみ方法を示す模式図。
【図１４】第六実施形態にかかる頭・頸・医療サポート枕の底面構造を示す底面図。
【図１５】（ａ）は、第七実施形態にかかる頭・頸・医療サポート枕の底面構造を示す底面図、（ｂ）は、図１５（ａ）の矢視線方向から見た手前側に位置するベルトの側面図。
【図１６】（ａ）は、他の実施形態にかかる鞘の斜視図、（ｂ）は、図１６（ａ）のＡ−Ａ´線に沿う断面図、（ｃ）は、図１６（ｂ）の矢視線方向から見たベルトを取り外した状態の隔壁、軸および回転体の模式図、（ｄ）は、図１６（ｂ）の矢視線方向からみた隔壁およびベルトの模式図。
【図１７】他の実施形態にかかるボールベアリングの斜視図。
【図１８】（ａ）は、第一実施形態にかかる頭・頸・医療サポート枕の使用状態を示す上面図、（ｂ）は、同実施形態にかかる頭・頸・医療サポート枕の使用状態を示す側面図。
【図１９】（ａ）は、他の実施形態にかかる頭・頸・医療サポート枕の概略構造を示す模式図、（ｂ）は、同実施形態にかかるベルトを示す正面図、（ｃ）は、同実施形態にかかる頭・頸・医療サポート枕の概略構造を示す模式図。
【図２０】（ａ）および（ｂ）は、他の実施形態にかかる頭・頸・医療サポート枕の使用状態を示す正面図。
【図２１】（ａ）は、他の実施形態にかかる頭・頸・医療サポート枕の使用状態を示す上面図、（ｂ）は、同実施形態にかかる頭・頸・医療サポート枕の使用状態を示す側面図。
【図２２】（ａ）〜（ｄ）は、他の実施形態にかかる頭・頸・医療サポート枕の使用状態を示す模式図。
【図２３】他の実施形態にかかる頭・頸・医療サポート枕の底面構造を示す底面図、およびアジャスタを拡大して示す拡大斜視図。
【図２４】他の実施形態にかかるベルト固定具を示す斜視図。
【図２５】他の実施形態にかかる頭・頸・医療サポート枕の底面構造を示す底面図。
【図２６】他の実施形態にかかる頭・頸・医療サポート枕の底面構造を示す底面図。
【図２７】（ａ）〜（ｄ）は、他の実施形態にかかる頭・頸・医療サポート枕の使用状態を示す側面図。
【図２８】（ａ）〜（ｃ）は、他の実施形態にかかる頭・頸・医療サポート枕の使用状態を示す側面図。
【図２９】（ａ）および（ｂ）は、他の実施形態にかかる頭・頸・医療サポート枕の概略構成を示す模式図。
【図３０】他の実施形態にかかる頭・頸・医療サポート枕の使用状態を示す側面図。
【図３１】他の実施形態にかかる頭・頸・医療サポート枕の使用状態を示す正面図。
【図３２】（ａ）は、他の実施形態にかかる頭・頸・医療サポート枕の上面構造を示す上面図、（ｂ）は、同実施形態にかかる頭・頸・医療サポート枕の側面構造を示す側面図、（ｃ）は、同実施形態にかかる頭・頸・医療サポート枕へのベルトの取り付け態様を示す斜視図。
【図３３】（ａ）および（ｂ）は、他の実施形態にかかる頭・頸・医療サポート枕の使用状態を示す上面図、（ｃ）は、同実施形態にかかる頭・頸・医療サポート枕の使用状態を示す正面図。
【図３４】（ａ）〜（ｇ）は、使用者の姿勢と骨の状態を示す模式図。
【発明を実施するための形態】
【００３１】
（第一実施形態）
以下、本発明を具体化した第一実施形態を図１〜図４に基づいて説明する。
【００３２】
同図１（ａ）および（ｂ）に示されるように、本実施形態の頭・頸・医療サポート枕１は、横長袋状の枕袋１０と、この枕袋１０に充填される図示しない素材とを含んで構成されている。頭・頸・医療サポート枕１の中央部分には、枕袋１０が縫い合わせられることで、中央長手方向に延びる第一溝部１５が形成されている。この第一溝部１５を挟んで頭部支持部材１１と頸部支持部材１４とが隣接して形成されている。
素材としては、既存の枕に用いられている、枕袋１０内で移動可能な種々の素材を採用することができる。例えば、そば殻、籾殻、木材チップ、合成樹脂製のビーズ、綿、或いは豆類等を採用することができる。
【００３３】
頭部支持部材１１は、使用者が仰臥して頭・頸・医療サポート枕１に頭部と頸部を乗せた時に、使用者の頭部と頸部を支えるものである。頭部支持部材１１の中央部分には、頭部支持部材１１を形成する枕袋１０が縫い合わせられることで、中央短手方向に延びる第二溝部１６が形成されている。この第二溝部１６を挟んで第一支持部材１２と第二支持部材１３とが隣接して形成されている。
【００３４】
頸部支持部材１４は、使用者が仰臥して頭・頸・医療サポート枕１に頭部と頸部を乗せた時に、使用者の頭部と頸部を支えるものである。この頸部支持部材１４は、第一支持部材１２および第二支持部材１３のそれぞれと隣接して形成されている。
【００３５】
図２に、本実施形態にかかる頭・頸・医療サポート枕１の底面構造を示す。同図２に示されるように、頭・頸・医療サポート枕１の中央部分には、頭・頸・医療サポート枕１よりも体積の小さい小枕２１が、第一溝部１５および第二溝部１６の交点に、その中央部分が位置するように取り付けられている。小枕２１は、面ファスナを介して枕袋１０に対して着脱可能に取り付けられている。
【００３６】
また、頭・頸・医療サポート枕１には、中空形状をなす一対の鞘５１（本発明の「保持部材」、「折り返し部」に相当）が、頸部支持部材１４の端部のうち、頭部支持部材１１に隣接する端部１４ａに取り付けられている。また、この鞘５１をそれぞれ貫通する独立した一対のベルト４１（本発明の「調整部材」に相当）が取り付けられている。
【００３７】
ベルト４１は、端部１４ａの反対側の端部である端部１４ｂにその一端が逢着されている。以下、この端部１４ｂに逢着される部分を固定部４２とする。
また、ベルト４１は、鞘５１に挿入され、この挿入された方向に折り返されて、鞘５１から延出している。以下、鞘５１から延出する部位を把持部４３とする。把持部４３の端部は、固定されていない自由端部となっている。なお、ベルト４１は、ナイロンやポリプロピレンなどの樹脂素材、または布や皮革等の繊維素材等により形成されている。
【００３８】
固定部４２には、枕袋１０に接触する面の反対側の面に面状ファスナのフック部４４が取り付けられている。そして、ベルト４１の他端寄りの部位（把持部４３）の枕袋１０に対向する面には、この他端側から固定部４２方向に延びるように面状ファスナのループ部４５が取り付けられている。これら面状ファスナのフック部４４とループ部４５は互いに着脱可能となっている。なお、面状ファスナの取り付け態様はこれに限られるものではなく、固定部４２にループ部４５を取り付けるとともに、把持部４３にフック部４４を取り付けるようにしてもよい。
【００３９】
次に、図３（ａ）〜（ｃ）を参照しながら鞘５１について詳細に説明する。図３（ａ）は、鞘５１の構成を示す斜視図である。図３（ａ）に示されるように、鞘５１は、扁平形状の六面体に形成されるケース５２と、矩形形状の隔壁５３から構成されている。ケース５２は、幅方向（図３（ａ）中のＸ軸方向）と奥行き方向（図３（ａ）中のＹ軸方向）の各寸法が高さ方向（図３（ａ）中のＺ軸方向）の寸法よりも大きい直方体形状となっている。なお、ケース５２および隔壁５３は、ポリカーボネート等の樹脂や金属等のような剛性の高い材料により形成されている。
【００４０】
また、図３（ｃ）に示されるように、鞘５１は枕袋１０に着脱可能となっている。このため、鞘５１の配設位置は適宜変更することができる。また、鞘５１が汚れた場合や、劣化した場合には洗浄したり新しいものと交換することができる。また、頭・頸・医療サポート枕１も個別で洗浄することもでき、清潔に保つことができる。
【００４１】
同図３（ａ）および（ｂ）に示されるように、ケース５２の頂点部分の角部と、ケース５２の開口部にはＲ部が設けられ、面取りがなされている。また、隔壁５３は、ケース５２の内壁面のうち、側面を形成する両側の側壁に取り付けられている。隔壁５３の奥行き方向（図３（ａ）中のＹ軸方向）の寸法は、ケース５２の奥行き方向の寸法よりも小さくなるように形成されており、隔壁５３の後端面とケース５２の内壁面との間には隙間５６が形成されている。
【００４２】
また、ケース５２の開口部は、隔壁５３によりて第一開口部５４と第二開口部５５とに分割されている。第二開口部５５に挿入されたベルト４１は、隔壁５３の後端面とケース５２の内壁面と間の隙間５６を介して、第一開口部５４から排出される。すなわち、ベルト４１は、鞘５１に対してスライド移動可能に組みつけられている。
【００４３】
また図３（ｃ）に示されるように、枕袋１０には面状ファスナのフック部４７が取り付けられている。一方、鞘５１の上面には面状ファスナのループ部４８が取り付けられている。これら面状ファスナのフック部４７とループ部４８とを係合させることにより、鞘５１は、図３（ａ）に図示された状態のまま、枕袋１０に着脱可能に取り付けられている。
【００４４】
次に、図４を参照しながら頭・頸・医療サポート枕１の使用方法について説明する。
図４（ａ）に示されるように、使用者は、頭・頸・医療サポート枕１を床面やベッド面に設置した状態で仰臥し、頭部と頸部を頭・頸・医療サポート枕１に乗せる。
【００４５】
同図４（ａ）に矢印にて示されるように、使用者が把持部４３を固定部４２の方向に向けて引っ張ると、ベルト４１が鞘５１に対してスライド移動して、鞘５１から引っ張り出される。このとき、図４（ｂ）に矢印にて示されるように、固定部４２には、鞘５１を支点として鞘５１に向かう力が作用する。鞘５１も、その位置が固定されているため、この力により固定部４２が鞘５１に近接して、頸部支持部材１４の短手方向（図４中のＹ軸方向）の寸法が小さくなる。
【００４６】
この際、頸部支持部材１４は圧縮されるため、その高さ方向（図４中のＺ軸方向）の寸法が大きくなる。すなわち、同図４（ａ）に示される寸法ｈ１から同図４（ｂ）に示される寸法ｈ２となる。
【００４７】
そして、使用者は、ベルト４１が鞘５１から引っ張り出された状態で、固定部４２に取り付けられた面状ファスナのフック部４４と、把持部４３に取り付けられた面状ファスナのループ部４５とを固定する。これにより、頸部支持部材１４の短手方向の寸法は、小さい状態に維持される。
【００４８】
上記実施形態によれば、以下に示す作用効果を奏することができるようになる。
（１）本実施形態によれば、把持部４３が鞘５１から頸部支持部材１４の端部１４ｂに向けて延出している。そのため、使用者は、頭部と頸部を頭・頸・医療サポート枕１に乗せた状態で、把持部４３を端部１４ｂに向けて引っ張り、頸部支持部材１４の短手方向の寸法を調整することができるようになる。
【００４９】
（２）本実施形態によれば、固定部４２に面状ファスナのフック部４４が取り付けられるとともに、把持部４３の枕袋１０に対向する面に面状ファスナのループ部４５が取り付けられている。そのため、使用者は、把持部４３を引っ張り、固定部４２と鞘５１とを近接させた状態で、これらフック部４４とループ部４５とを固定することができる。したがって、頸部支持部材１４の短手方向の寸法を所望の大きさとした後、その状態を維持することができるようになる。
ゆえに、液体・気体ではできない短手方向の調整が、本実施形態を実施することで調整も出来るようになることも特徴である。
【００５０】
（３）また、図３（ｂ）に示されるように、ケース５２の開口部にＲ部が設けられているため、ベルト４１をケース５２に対してスライド移動させる際に、ベルト４１が当該ケース５２の開口部に引っ掛かることを抑制することができる。
【００５１】
（４）本実施形態によれば、鞘５１に挿入されたベルト４１は、鞘５１内部で折り返されて頸部支持部材１４の端部１４ｂに向けて延出している。そのため、使用者自身または使用者に対して第三者（介護者等）が、頭部と頸部をのせた状態でベルト４１を端部１４ｂに向けて引っ張り、頸部支持部材１４の短手方向の寸法を調整することができるようになる。
【００５２】
なお、鞘５１は枕袋１０に着脱可能に取り付けられているため、ベルト４１が引っ張られると、鞘５１が枕袋１０から剥がれてしまうことが懸念される。この点、本実施形態によれば、使用者が頭・頸・医療サポート枕１を使用している状態では、使用者の頸部と頭部の重みによって鞘５１は枕袋１０に圧着された状態になる。そのため、ベルト４１が引っ張られることにより鞘５１を枕袋１０から剥がす方向に力が働いた場合であっても、鞘５１が枕袋１０から剥がされることは抑制される。
【００５３】
（第二実施形態）
以下、本発明を具体化した第二実施形態を上記第一実施形態と異なる点を中心に図５〜図８に基づいて説明する。なお、これら図５〜図８において、第一実施形態にて説明した各要素と同一の要素についてはそれぞれ同一の符号を示しており、それら要素についての重複する説明は割愛する。
【００５４】
図５に示されるように、この第二実施形態の頭・頸・医療サポート枕１は、中空形状をなす独立した複数の鞘５１（本発明の「保持部材」に相当）が第一支持部材１２の第二溝部１６近傍、第二支持部材１３の第二溝部１６近傍、および頸部支持部材１４の中央寄りにそれぞれ取り付けられている。また、これら鞘５１をそれぞれ貫通するように、独立した複数のベルト４１（本発明の「調整部材」に相当）が取り付けられている。
【００５５】
第一支持部材１２に取り付けられた鞘５１は、第一支持部材１２の端部のうち第二支持部材１３に隣接する端部とは反対側の端部である側端部１２ｃに向けて開口するように取り付けられている。また、第二支持部材１３に取り付けられた鞘５１は、第二支持部材１３の端部のうち第一支持部材１２に隣接する端部と反対側の端部である側端部１３ｃに向けて開口するように取り付けられている。
【００５６】
頸部支持部材１４には、一対の鞘５１が取り付けられている。一方の鞘５１は、頸部支持部材１４の側端部のうち、第一支持部材１２に一端が隣接する側端部１４ｃに向けて開口するように取り付けられている。他方の鞘５１は、頸部支持部材１４の側端部のうち、第二支持部材１３に一端が隣接する側端部１４ｃに向けて開口するように取り付けられている。
【００５７】
頭部支持部材１１の第一支持部材１２に取り付けられたベルト４１は、第一支持部材１２の側端部１２ｃに固定される固定部４２と、鞘５１から側端部１２ｃに向けて延出する把持部４３とを備えている。第二支持部材１３に取り付けられたベルト４１は、第二支持部材１３の側端部１３ｃに固定される固定部４２と、鞘５１から側端部１３ｃに向けて延出する把持部４３とを備えている。
【００５８】
頸部支持部材１４には一対のベルト４１が取り付けられている。一方のベルト４１は、頸部支持部材１４の側端部のうち、第一支持部材１２に一端が隣接する側端部１４ｃに固定される固定部４２と、鞘５１から上記側端部１４ｃに向かって延出する把持部４３とを備えている。
他方のベルト４１は、頸部支持部材１４の側端部のうち、第二支持部材１３に一端が隣接する側端部１４ｃに固定される固定部４２と、鞘５１から上記側端部１４ｃに向かって延出する把持部４３とを備えている。
なお、これら把持部４３の端部は、固定されていない自由端部となっている。
【００５９】
次に、図６〜図８を参照しながら本実施形態の頭・頸・医療サポート枕１の使用方法について説明する。なお、図６（ａ），（ｂ）は、頭・頸・医療サポート枕１および使用者を、使用者の頭頂部側から見た正面図である。図７（ａ），（ｂ）は、頭・頸・医療サポート枕１および使用者を、使用者の頸部側から見た正面図である。図８（ａ），（ｂ）は、頭・頸・医療サポート枕１および使用者を側面から見た側面図である。なお、図８（ａ），（ｂ）は、図７（ａ），（ｂ）に対応する図である。頭部支持部材１１に取り付けられたベルト４１は放置して、頸部支持部材１４に取り付けられたベルト４１のみを鞘５１から引っ張り出した場合における頸部支持部材１４の変化態様を示している。
まず、図６〜図８に示されるように、使用者は、頭・頸・医療サポート枕１を床面やベッド面に設置した状態で仰臥し、頭部および頸部を頭・頸・医療サポート枕１に乗せる。
【００６０】
図６（ａ）に矢印にて示されるように、使用者が把持部４３を固定部４２の方向に引っ張ると、ベルト４１が鞘５１に対してスライド移動して、鞘５１から引っ張り出される。このとき、図６（ｂ）の矢印にて示されるように、固定部４２には、鞘５１を支点として鞘５１に向かう力が作用する。鞘５１も、その位置が固定されているため、この力により固定部４２が鞘５１に近接して、第一支持部材１２および第二支持部材１３の長手方向（図６中のＸ軸方向）の寸法が小さくなる。
【００６１】
この際、第一支持部材１２および第二支持部材１３はそれぞれ圧縮されるため、その高さ方向（図６中のＺ軸方向）の寸法が大きくなる。すなわち、同図６（ａ）に示される寸法ｈ１から同図６（ｂ）に示される寸法ｈ２となる。
そして、使用者は、図６（ｂ）に示されるように、ベルト４１が鞘５１から引っ張り出された状態で、面状ファスナのフック部４４とループ部４５とを固定する。これにより、第一支持部材１２および第二支持部材１３の高さ方向の寸法を大きいままに図６（ｂ）中のｈ２の大きさに維持することができる。
【００６２】
同様に、図７（ａ）に矢印にて示されるように、使用者が把持部４３を固定部４２の方向に引っ張ると、ベルト４１が鞘５１に対しスライド移動して、鞘５１から引っ張り出される。このとき、図７（ｂ）の矢印にて示されるように、固定部４２には、鞘５１を支点として鞘５１に向かう力が作用する。鞘５１も、その位置が固定されているため、この力により固定部４２と鞘５１とが近接して、頸部支持部材１４の長手方向（図７中のＸ軸方向）の寸法が小さくなる。この際、頸部支持部材１４は圧縮されるため、高さ方向（図７のＺ軸方向）の寸法は大きくなる。すなわち、同図７（ａ）に示される寸法ｈ１から同図７（ｂ）に示される寸法ｈ２となる。
【００６３】
また、図８（ａ），（ｂ）に示されるように、頸部支持部材１４に取り付けられたベルト４１が固定部４２に向けて引っ張られると、頸部支持部材１４の短手方向（図８中のＹ軸方向）の寸法は僅かに小さくなる。この際、頸部支持部材１４は圧縮されるため、高さ方向（図８中のＺ軸方向）の寸法は大きくなる。すなわち、同図８（ａ）に示される寸法ｈ１から同図８（ｂ）に示される寸法ｈ２となる。このように頸部支持部材１４の高さ方向（図８中のＺ軸方向）の寸法が大きくなることで、使用者の顎が僅かに持ち上がることとなる。
【００６４】
このように、使用者は、ベルト４１を引っ張ることにより、第一支持部材１２、第二支持部材１３および頸部支持部材１４の高さ方向の寸法を調整することができるようになる。
一方、図４に示されるように、頸部支持部材１４のベルト４１を緩めると、使用者の顎を下げて、床面と平行に維持することができるようになる。
【００６５】
以上詳述した第二実施形態によれば、上記（１）〜（４）の効果に加えて次のような効果を発揮することができるようになる。
（５）本実施形態によれば、ベルト４１を固定部４２に向けて引っ張ることにより、第一支持部材１２、第二支持部材１３および頸部支持部材１４の高さ方向の寸法を調整することができるようになる。
【００６６】
（６）第一支持部材１２、第二支持部材１３および頸部支持部材１４のそれぞれについて、ベルト４１およびこのベルト４１が貫通する鞘５１を取り付けるようにしている。このため、第一支持部材１２の高さ方向の寸法、第二支持部材１３の高さ方向の寸法、および頸部支持部材１４の高さ方向の寸法をそれぞれ独立して調整することができるようになる。このように、長手方向の寸法を短手方向の寸法とは独立して調整することができるため、使用者の頭部の角度を自由に調整することができる。例えば、第一実施形態にて説明したように、頸部支持部材１４の短手方向の寸法および高さ方向の寸法を変更したうえで、さらに本実施形態にて説明したように長手方向の寸法を変更することで、頸部支持部材１４の形状を使用者に合わせた形に自由自在に変更することができるようになる。
【００６７】
（第三実施形態）
以下、本発明を具体化した第三実施形態を上記第一実施形態と異なる点を中心に図９および図１０に基づいて説明する。なお、図９および図１０において、第一実施形態にて説明した各要素と同一の要素についてはそれぞれ同一の符号を示しており、それら要素についての重複する説明は割愛する。
【００６８】
図９に示されるように、本実施形態では、筒状に形成される独立した複数の鞘２２，５６〜５８（本発明の「保持部材」に相当）およびこれら鞘２２，５６〜５８をそれぞれ貫通する独立した４本のベルト４１（本発明の「調整部材」に相当）が頭・頸・医療サポート枕１の底面に取り付けられている。
鞘５７は第一支持部材１２に、鞘５８は第二支持部材１３に、鞘５６は頸部支持部材１４に、鞘２２は小枕２１にそれぞれ取り付けられている。また、鞘２２，５６〜５８は、一端が第一支持部材１２の端部１２ｂもしくは第二支持部材１３の端部１３ｂに向けて開口するとともに、他端が頸部支持部材１４の端部１４ｂに向けて開口するように取り付けられている。
【００６９】
また、本実施形態の頭・頸・医療サポート枕１には、
鞘５６および鞘５７を貫通するとともに、鞘５７から延出する把持部４３を備えるベルト４１がある。
鞘５６、鞘２２および鞘５７を貫通するとともに、鞘５７から延出する把持部４３を備えるベルト４１がある。
鞘５６、鞘２２および鞘５８を貫通するとともに、鞘５８から延出する把持部４３を備えるベルト４１がある。
鞘５６および鞘５８を貫通するとともに、鞘５８から延出する把持部４３を備えるベルト４１がある。
なお、これら把持部４３の端部は、固定されない自由端部となっている。
また、これらベルト４１は、頸部支持部材１４の端部１４ｂに逢着される固定部４２をそれぞれ備えている。
【００７０】
第一支持部材１２の端部１２ｂ、および第二支持部材１３の端部１３ｂには、面状ファスナのフック部４４が取り付けられている。また、把持部４３には、ベルト４１の枕袋１０に対向する面に、面状ファスナのループ部４５が取り付けられている。
【００７１】
本実施形態の頭・頸・医療サポート枕１の使用方法について詳述する。使用者は、頭・頸・医療サポート枕１を床面やベッド面に設置した状態で仰臥し、頭部と頸部を頭・頸・医療サポート枕１に乗せる。使用者自身もベルト４１を頭上で引っ張ることができるため、頭部と頸部を乗せた状態で、使用者自身、または使用者に対して第三者（介護者等）が、把持部４３を第一支持部材１２の端部１２ｂもしくは第二支持部材１３の端部１３ｂに向けて引っ張る。この際、鞘５６の位置は固定されているため、固定部４２が鞘５６に対して近接する。これにより、頸部支持部材１４の短手方向の寸法を小さくすることができるようになる。
【００７２】
又、使用者自身または使用者に対して第三者（介護者等）は、把持部４３を第一支持部材１２の端部１２ｂもしくは第二支持部材１３の端部１３ｂに向けて引っ張る。この状態で、面状ファスナのフック部４４とループ部４５とを固定させることで、頸部支持部材１４の寸法を所望の大きさに維持する。
【００７３】
図１０（ａ），（ｂ）に示されるように、把持部４３が第一支持部材１２の端部１２ｂもしくは第二支持部材１３の端部１３ｂに向けて引っ張られると、頸部支持部材１４の短手方向（図１０中のＹ軸方向）の寸法は小さくなる。すなわち、同図１０（ａ）に示される寸法Ｌ１から同図１０（ｂ）に示される寸法Ｌ２となる。この結果、頸部支持部材１４の高さ方向（図１０中のＺ軸方向）の寸法が大きくなり、使用者の顎が僅かに持ち上がることとなる。一方、図７に示されるように、頸部支持部材１４のベルト４１を緩めると、使用者の顎は下がり、平行にすることができる。
【００７４】
以上詳述した第三実施形態によれば、上記（１）および（２）の効果に加えて、次のような効果を発揮することができるようになる。
（７）本実施形態によれば、使用者が仰臥して頭部と頸部を頭・頸・医療サポート枕１に乗せた状態で、使用者自身または使用者に対して第三者（介護者等）が、把持部４３を第一支持部材１２の端部１２ｂもしくは第二支持部材１３の端部１３ｂに向かって引っ張ることができる。このため、使用者が頭・頸・医療サポート枕１を使用した状態で、使用者自身または使用者に対して第三者（介護者等）が、頸部支持部材１４の形状を好適に調整することができるようになる。
ゆえに、上述したように、液体・気体ではできない短手方向の調整が、本実施形態を実施することで調整も出来るようになることも特徴である。
【００７５】
（第四実施形態）
以下、本発明を具体化した第四実施形態を上記第一実施形態と異なる点を中心に図１１に基づいて説明する。なお、図１１において、第一実施形態にて説明した各要素と同一の要素についてはそれぞれ同一の符号を示しており、それら要素についての重複する説明は割愛する。
【００７６】
図１１に示されるように、この実施形態の頭・頸・医療サポート枕１には、４本の筒状に形成された鞘２２（本発明の「保持部材」に相当）が、それぞれ独立して小枕２１に取り付けられている。また、これら鞘２２をそれぞれ貫通するように、独立した４本のベルト４１（本発明の「調整部材」に相当）が小枕２１に取り付けられている。
【００７７】
鞘２２は、一端が頸部支持部材１４の端部１４ｂに向けて開口するとともに、他端が第一支持部材１２の第一端部１２ｂまたは第二支持部材１３の第一端部１３ｂに向けて開口するように小枕２１に取り付けられている。また、小枕２１には、小枕２１の頭部支持部材１１側の端部２１ａに逢着されて、頸部支持部材１４側に把持部４３が延出する一対のベルト４１がある。そして、小枕２１の頸部支持部材１４側の端部２１ｂに逢着されて、頭部支持部材１１側に把持部４３が延出する一対のベルト４１が取り付けられている。
【００７８】
第一支持部材１２の端部１２ｂ、および第二支持部材１３の端部１３ｂには、面状ファスナのフック部４４が取り付けられている。また、把持部４３には、ベルト４１の枕袋１０に対向する面に、面状ファスナのループ部４５が取り付けられている。
【００７９】
本実施形態の頭・頸・医療サポート枕１の使用方法について詳述する。使用者は頭・頸・医療サポート枕１を床面やベッド面に設置した状態で仰臥し、頭部および頸部を頭・頸・医療サポート枕１に乗せる。この状態で、使用者自身または使用者に対して第三者（介護者等）が、把持部４３をその延出する方向に引っ張ることで、小枕２１の縦方向（図１１中のＹ軸方向）における寸法を調整する。そして、その状態で面状ファスナのフック部４４とループ部４５とを固定させる。
【００８０】
以上詳述した第四実施形態によれば、上記（１）の効果に加えて次のような効果を発揮することができるようになる。
（８）本実施形態によれば、他の部材と独立して小枕２１の寸法のみ調整することができるようになる。
【００８１】
（第五実施形態）
以下、本発明を具体化した第五実施形態を上記第一実施形態と異なる点を中心に図１２および図１３に基づいて説明する。なお、図１２において、第一実施形態にて説明した各要素と同一の要素についてはそれぞれ同一の符号を示しており、それら要素についての重複する説明は割愛する。
【００８２】
第一実施形態では、ベルト４１により頭・頸・医療サポート枕１の形状を調整するようにした。本実施形態では、枕袋１０に充填される素材の量を調整することにより、頭・頸・医療サポート枕１の形状を調整するようにしている。
【００８３】
図１２（ａ）および図１３（ａ）に示されるように、本実施形態では、線ファスナ８１が頭部支持部材１１および頸部支持部材１４の側面に、頭・頸・医療サポート枕１の短手方向に沿って延びるように設けられている。
【００８４】
図１２（ｂ）に示されるように、線ファスナ８１が設けられる枕袋１０の開口部には、枕袋１０の内側に延出するように（図１３（ａ）参照）、筒状をなす内布８２が逢着されている。この内布８２は、一端（基端側）が枕袋１０の開口部に沿って逢着されるとともに、反対側の端部（先端側）は固定されない自由端部となっている。なお、図１２（ｂ）には、内布８２を枕袋１０の外部に引き出した状態の模式図を示す。
【００８５】
内布８２は、通常時、折りたたまれて枕袋１０の内部に充填されている。この内布８２は、例えば、次のように折りたたまれる。すなわち、図１３（ｂ）に示されるように、まず、外部に引き出された内布８２の先端側の端部を閉じ、内布８２自身の延出方向（図１３（ｂ）中の矢印Ａの方向）と交差する方向（図１３（ｂ）中の矢印Ｂの方向）の両端部８２ａを、前記交差する方向の中央側へ折る。ここでは、内袋８２の先端側の端部が、内布８２の基端側から先端側に延びる中心線８３に沿うように内袋８２を折る。
【００８６】
次に、内袋８２の先端側の端部の中心部８２ｂが内布８２の両端部８２ａと近接するように矢印Ａの方向に折る。このとき、中心部８２ｂは両端部８２ａと所定距離を離間した位置まで折る。続いて、内布８２自身がロール状になるように、端面８２ｃを巻き込むように矢印Ａの方向に巻きつけていく。このような順序で、内布８２を折りたたむ。
【００８７】
以上詳述した第五実施形態によれば、次のような効果を発揮することができるようになる。
（９）頭部支持部材１１と頸部支持部材１４の素材の量を増やしたり、または減らしたりすることで、頭・頸・医療サポート枕１の形状を調整することができる。しかしながら、図１２（ａ）に矢印にて示されるように、使用者が頭・頸・医療サポート枕１に頭部と頸部を乗せると、線ファスナ８１の開口部に対して圧力がかかるため、線ファスナ８１を開ける際、素材が枕袋１０からすぐに漏れ出してしまうことがある。特に、素材として粒状充填材を採用した場合、素材は枕袋１０から漏れ出しやすくなる。この点、本実施形態によれば、内布８２が枕袋１０の開口部に治って、枕袋１０の内側に延出するように取り付けられているため、素材が枕袋１０から漏れ出してしまうことを抑制することができるようになる。
【００８８】
（第六実施形態）
以下、本発明を具体化した第六実施形態を上記第一実施形態と異なる点を中心に図１４に基づいて説明する。なお、図１４において、第一実施形態にて説明した各要素と同一の要素についてはそれぞれ同一の符号を示しており、それら要素についての重複する説明は割愛する。
【００８９】
図１４に示されるように、この実施形態の頭・頸・医療サポート枕１では、第一実施形態の頭・頸・医療サポート枕１に対して、独立した複数の鞘５１（本発明の「保持部材」に相当）が第一支持部材１２の第二溝部１６近傍、第二支持部材１３の第二溝部１６近傍、および頸部支持部材１４の中央寄りにそれぞれ取り付けられている。また、これら鞘５１をそれぞれ貫通するように、独立した複数のベルト４１（本発明の「調整部材」に相当）が取り付けられている。
【００９０】
第一支持部材１２に取り付けられた鞘５１は、第一支持部材１２の端部のうち第二支持部材１３に隣接する端部とは反対側の端部である側端部１２ｃに向けて開口するように取り付けられている。また、第二支持部材１３に取り付けられた鞘５１は、第二支持部材１３の端部のうち第一支持部材１２に隣接する端部とは反対側の端部である側端部１３ｃに向けて開口するように取り付けられている。
【００９１】
頸部支持部材１４には、一対の鞘５１が取り付けられている。一方の鞘５１は、頸部支持部材１４の側端部のうち、第一支持部材１２に一端が隣接する側端部１４ｃに向けて開口するように取り付けられている。他方の鞘５１は、頸部支持部材１４の側端部のうち、第二支持部材１３に一端が隣接する側端部１４ｃに向けて開口するように取り付けられている。
【００９２】
第一支持部材１２に取り付けられたベルト４１は、第一支持部材１２の側端部１２ｃに固定される固定部４２と、鞘５１から側端部１２ｃに向けて延出する把持部４３とを備えている。第二支持部材１３に取り付けられたベルト４１は、第二支持部材１３の側端部１３ｃに固定される固定部４２と、鞘５１から側端部１３ｃに向けて延出する把持部４３とを備えている。
【００９３】
頸部支持部材１４の第一支持部材１２寄りに取り付けられたベルト４１は、頸部支持部材１４の側端部のうち、第一支持部材１２に一端が隣接する側端部１４ｃに固定される固定部４２と、鞘５１から上記側端部１４ｃに向かって延出する把持部４３とを備えている。同様に、頸部支持部材１４の第二支持部材１３寄りに取り付けられたベルト４１は、頸部支持部材１４の側端部のうち、第二支持部材１３に一端が隣接する側端部１４ｃに固定される固定部４２と、鞘５１から上記側端部１４ｃに向かって延出する把持部４３とを備えている。
なお、これら把持部４３の端部は、固定されていない自由端部となっている。
【００９４】
また、４本の筒状に形成された鞘２２が、それぞれ独立して小枕２１に取り付けられている。また、これら鞘２２をそれぞれ貫通するように、独立した４本のベルト４１が取り付けられている。
【００９５】
鞘２２は、一端が頸部支持部材１４の端部１４ｂに向けて開口するとともに、他端が第一支持部材１２の第一端部１２ｂまたは第二支持部材１３の第一端部１３ｂに向けて開口するように小枕２１に取り付けられている。ベルト４１は小枕２１の頭部支持部材１１側の端部２１ａに逢着されて、頸部支持部材１４側に把持部４３が延出する一対のベルト４１、および小枕２１の頸部支持部材１４側の端部に逢着されて、頭部支持部材１１側に把持部４３が延出する一対のベルト４１を含んで構成される。
【００９６】
第一支持部材１２の端部１２ｂ、側端部１２ｃ、第二支持部材１３の端部１３ｂ、側端部１３ｃ、頸部支持部材１４の端部１４ｂ、側端部１４ｃには、面状ファスナのフック部４４が取り付けられている。また、把持部４３には、ベルト４１の枕袋１０に対向する面に、面状ファスナのループ部４５が取り付けられている。
【００９７】
以上詳述した第六実施形態によれば、上記（１）〜（６）、（８）の効果に加えて次のような効果を発揮することができるようになる。
（１０）上記実施形態によれば、第一支持部材１２、第二支持部材１３、頸部支持部材１４および小枕２１に鞘２２，５１およびベルト４１がそれぞれ独立して取り付けられている。このため、第一支持部材１２、第二支持部材１３、頸部支持部材１４および小枕２１の短手方向（図１４中のＹ軸方向）および長手方向（図１４中のＸ軸方向）の寸法をそれぞれ独立して調整することができるようになる。
【００９８】
（第七実施形態）
以下、本発明を具体化した第七実施形態を上記第二実施形態と異なる点を中心に図１５に基づいて説明する。なお、図１５において、第二実施形態にて説明した各要素と同一の要素についてはそれぞれ同一の符号を示しており、それら要素についての重複する説明は割愛する。
【００９９】
図１５（ａ）に示されるように、この実施形態の頭・頸・医療サポート枕１には、第二実施形態の頭・頸・医療サポート枕１に対して、筒状に形成された独立した複数の鞘５９，６５（本発明の「保持部材」に相当）が、第一支持部材１２、第二支持部材１３、および頸部支持部材１４にそれぞれ取り付けられている。
【０１００】
また、複数のベルト４９（本発明の「調整部材」に相当）が第一溝部１５に直交するように取り付けられている。そして、これらベルト４９が貫通する複数のガイド部７５が頸部支持部材１４の端部１４ｂの近傍に取り付けられている。
またさらに、本実施形態では、小枕２１に複数のベルト４１（本発明の「調整部材」に相当）が第二溝部１６に直交する態様で取り付けられている。
【０１０１】
次に、第一支持部材１２に取り付けられる鞘５１，６５およびベルト４１について説明する。鞘６５は、一端が第一支持部材１２の側端部１２ｃに向けて開口するとともに、他端が第二支持部材１３の側端部１３ｃに向けて開口している。鞘５１は、第一支持部材１２の側端部１２ｃに向けて開口している。ベルト４１の固定部４２は、第一支持部材１２の側端部１２ｃに設けられている。そして、ベルト４１は、固定部４２から第二溝部１６に向かって延出し、鞘５１で折り返されて第一支持部材１２の側端部１２ｃに向かって延出している。この鞘５１から延出する部分は把持部４３となっている。第一支持部材１２の側端部１２ｃには面状ファスナのフック部４４が、把持部４３には面状ファスナのループ部４５が設けられている。
【０１０２】
次に、第二支持部材１３に取り付けられる鞘５１，６５およびベルト４１について説明する。鞘６５は、一端が第一支持部材１２の側端部１２ｃに向けて開口するとともに、他端が第二支持部材１３の側端部１３ｃに向けて開口している。鞘５１は、第二支持部材１３の側端部１３ｃに向けて開口している。ベルト４１の固定部４２は、第二支持部材１３の側端部１３ｃに設けられている。そして、ベルト４１は、固定部４２から第二溝部１６に向かって延出し、鞘５１で折り返されて第二支持部材１３の側端部１３ｃに向かって延出している。この鞘５１から延出する部分は把持部４３となっている。第二支持部材１３の側端部１３ｃには面状ファスナのフック部４４が、把持部４３には面状ファスナのループ部４５が設けられている。
【０１０３】
次に、頸部支持部材１４に取り付けられる一対の鞘５１，６５およびベルト４１について説明する。鞘６５は、いずれも頸部支持部材１４の両方の側端部１４ｃに向けて開口している。一方の鞘５１は、頸部支持部材１４の一方の側端部１４ｃに向けて開口しており、他方の鞘５１は頸部支持部材１４の他方の端部１４ｃに向けて開口している。ベルト４１は、それぞれ固定部４２から中央部分に向かって延出し、鞘５１で折り返されてそれぞれの固定部４２が設けられる側端部１４ｃに向かって延出している。この鞘５１から延出する部分は把持部４３となっている。頸部支持部材１４の側端部１４ｃには面状ファスナのフック部４４が、把持部４３には面状ファスナのループ部４５が設けられている。
【０１０４】
また、上述したように、本実施形態の頭・頸・医療サポート枕１には４本の筒状に形成された鞘２２（本発明の「保持部材」に相当）が、第二溝部１６に直交する態様で小枕２１に取り付けられている。また、これら鞘２２をそれぞれ貫通するように、独立した４本のベルト４１（本発明の「調整部材」に相当）が小枕２１に取り付けられている。
【０１０５】
鞘２２は、一端が第一支持部材１２の側端部１２ｃもしくは頸部支持部材１４の側端部１４ｃに向けて開口するとともに、他端が第二支持部材１３の側端部１３ｃまたは頸部支持部材１４の側端部１４ｃに向けて開口するように小枕２１に取り付けられている。また、ベルト４１は、一端が小枕２１の一方の側端部２１ｃに逢着されており、他端が小枕２１の他方の側端部２１ｃに向けて延出している。この鞘２２から延出する部分は把持部４３となっている。
【０１０６】
第一支持部材１２の側端部１２ｃ、および第二支持部材１３の側端部１３ｃには、面状ファスナのフック部４４が取り付けられていて、頸部支持部材１４の側端部１４ｃには、面状ファスナのフック部４４が取り付けられている。また、小枕２１に取り付けられるベルト４１の把持部４３には、ベルト４１の枕袋１０に対向する面に、面状ファスナのループ部４５が取り付けられている。
【０１０７】
次に、図１５（ｂ）を参照しながら、図１５（ａ）の矢視線方向から見た手前側に位置するベルト４９について説明する。同図１５（ｂ）に示されるように、ベルト４９の固定部４２は、第一溝部１５に隣接する位置に設けられている。そして、ベルト４９は、固定部４２から頸部支持部材１４の端部１４ｂに向かって延出し、ガイド部７５で折り返されて、第一支持部材１２の端部１２ｂに向かって延出している。また、ベルト４９は、鞘５９を貫通するように取り付けられている。
【０１０８】
以上詳述した第七実施形態によれば、上述した作用効果に準じた効果を奏することができるようになる。
【０１０９】
（その他の実施形態）
なお、この発明にかかる頭・頸・医療サポート枕１は、上記実施形態にて例示した構成に限定されるものではなく、同実施の形態を適宜変更した例えば次のような形態として実施することもできる。また以下の各変形例は、上記実施形態についてのみ適用されるものではなく、異なる変形例同士を互いに組み合わせて実施することもできる。
【０１１０】
上記第一実施形態では、隔壁５３の後端部にベルト４１が接触するようにしたが、これに代えて、図１６に示すように、隔壁５３の後端部に回転体６２を取り付けるようにしてもよい。
【０１１１】
図１６（ａ）は本変形例にかかる鞘５１の構成を示す斜視図を示す。
図１６（ｂ）は図１６（ａ）に示すＡ−Ａ´断面に沿った断面図を示す。
図１６（ｃ）は、図１６（ｂ）の矢視線方向から見たベルトを取り外した状態の隔壁５３、軸６１および回転体６２の模式図を示す。
図１６（ｄ）は、図１６（ｂ）の矢視線方向からみた隔壁５３およびベルト４１の模式図を示す。
【０１１２】
本変形例では、図１６（ａ）〜（ｄ）に示されるように、隔壁５３の後端部とケース５２の内壁との間の隙間５６にケース５２の両側壁を連絡する軸６１を設ける。この軸６１を中心として回転可能な回転体６２を取り付けている。図１６（ａ）〜（ｄ）に示されるように、第二開口部５５から鞘５１に挿入されたベルト４１は、この回転体６２に巻きつけられ、第一開口部５４から排出される。
【０１１３】
上記変形例では、ケース５２の両側壁を連絡する軸６１に回転体６２を取り付けるようにした。これに代えて図１７に示されるように、軸６１を中心として回転可能な複数のボールベアリング６３を軸６１に取り付けるようにしてもよい。
本変形例によれば、ベルト４１が鞘５１内をスライド移動する際、ボールベアリング６３がベルト４１とともに回転するため、より好的に隔壁５３とベルト４１との間に発生する摩擦を低減することができるようになる。
【０１１４】
上述した第一実施形態にかかる頭・頸・医療サポート１は、第一支持部材１２、第二支持部材１３および頸部支持部材１４に分割されているため、長さ・高さ・角度を容易に調整することができる。しかしながら、図１８（ａ）および（ｂ）に示されるように使用者の頭部および頸部を頭・頸・医療サポート枕１に乗せた場合、使用者の頭部および頸部の重みにより、同図１８（ｂ）の矢印にて示される方向への圧力がかかる。
これにより、同図１８（ａ）に矢印にて示されるように、第一支持部材１２と第二支持部材１３との間が僅かに開いてしまうおそれがある。
【０１１５】
そこで、本変形例にかかる頭・頸・医療サポート枕１は、第一支持部材１２および第二支持部材１３の形状を維持することができるベルト７６を備えるものとする。本変形例によれば、第一支持部材１２および第二支持部材１３の形状をベルト７６を用いて維持することができる。
【０１１６】
図１９（ａ）〜（ｃ）を参照しながら、本変形例にかかるベルト７６を備えた頭・頸・医療サポート枕１について説明する。同図１９（ａ）に示されるように、頭・頸・医療サポート枕１は、第一支持部材１２、第二支持部材１３および頸部支持部材１４の３つに分割されている。第一支持部材１２と第二支持部材１３とは、第二溝部１６を挟んで隣接している。第一支持部１２と頸部支持部材１４、第二支持部１３と頸部支持部材１４は、それぞれ第一溝部１５を挟んで隣接している。
【０１１７】
第一支持部材１２および第二支持部材１３には、一対の面状ファスナのフック部４４（本発明の「頭部固定部」に相当）が取り付けられている。これら面状ファスナのフック部４４のうち、一方は第一支持部材１２の端部１２ｂ近傍に、他方は第二支持部材１３の端部１３ｂ近傍に取り付けられている。また、これら一対の面状ファスナのフック部４４のうち、第一支持部材１２に逢着されるフック部４４は、第二溝部１６近傍に逢着されている。すなわちこの第一支持部材１２に逢着される面状ファスナのフック部４４と第一支持部材１２の側端部１２ｃとの間の距離は、フック部４４と第二溝部１６との間の距離よりも長くなる。同様に、第二支持部材１３に逢着されるフック部４４も、第二溝部１６近傍に逢着される。すなわちこの第二支持部材１３に逢着される面状ファスナのフック部４４と第二支持部材１３の側端部１３ｃとの間の距離は、フック部４４と第二溝部１６との間の距離よりも長くなる。
【０１１８】
また、同図１９（ｂ）に示されるように、ベルト７６には、一対の面状ファスナのループ部４５（本発明の「着脱部」に相当）が取り付けられている。このループ部４５は、それぞれベルト７６の両端部から、中央付近まで延びる態様にて取り付けられている。
同図１９（ｃ）に示されるように、これら面状ファスナのフック部４４とループ部４５の係合を通じて、ベルト７６は、頭・頸・医療サポート枕１と着脱可能となっている。
【０１１９】
図２０（ａ）および（ｂ）に、頭・頸・医療サポート枕１にベルト７６を取り付けた状態を示す。
例えば、使用者の頭部のうち、頭頂寄りの部位を高くしようとする場合は、図２０（ａ）に示されるように、第一支持部材１２および第二支持部材１３をそれぞれ第二溝部１６に向けて（同図２０（ａ）中の矢印Ａの方向に）引っ張る。そして、ベルト７６に取り付けられた面状ファスナのループ部４５を、第一支持部材１２および第二支持部材１３に取り付けられた面状ファスナのフック部４４にそれぞれ取り付ける。
これにより、第一支持部材１２および第二支持部材１３をそれぞれ第二溝部１６に向けて寄せた状態で維持することができる。したがって、同図２０（ａ）中の矢印Ｂに示されるように、第一支持部材１２および第二支持部材１３のうち、使用者の頭頂よりの部分を高くし、その状態を維持することができるようになる。すなわち、後頭部の頭頂部が上がった状態とした後、第一支持部材１２および第二支持部材１３のフック部４４にベルト７６のループ部４５を付けることにより、所望の好適位置で固定することができる。このように、後頭部の頭頂部について、微妙な高さが枕表面で調整することができる。
【０１２０】
これに対して、使用者の頭部のうち、頭頂寄りの部位を低くしようとする場合は、図２０（ｂ）に示されるように、第一支持部材１２および第二支持部材１３をそれぞれ側端部１２ｃ，１３ｃに向けて（同図２０（ｂ）中の矢印Ｃの方向に）引っ張る。そして、ベルト７６に取り付けられた面状ファスナのループ部４５を、第一支持部材１２および第二支持部材１３に取り付けられた面状ファスナのフック部４４にそれぞれ取り付ける。同図２０（ｂ）中の矢印Ｄに示されるように、第一支持部材１２および第二支持部材１３には、使用者の頭部および頸部の重みがかかるため、第一支持部材１２と第二支持部材１３とが、それぞれ第二溝部１６から離間した状態で維持することができる。
したがって、第一支持部材１２および第二支持部材１３のうち、使用者の頭頂よりの部分の寸法を小さくし、その状態を維持することができるようになる。すなわち、後頭部の頭頂部を下げた状態とした後、第一支持部材１２および第二支持部材１３のフック部４４にベルト７６のループ部４５を付けることにより、所望の好適位置で固定することができる。このように、後頭部の頭頂部について、微妙な高さが枕表面で調整できる。
【０１２１】
本変形例によれば、使用者が仰臥位で頭・頸・医療サポート枕１に頭部および頸部を乗せている状態で、使用者自身および介護者等の他人が、当該頭・頸・医療サポート枕１の形状等を調整することができる。もちろん、頭・頸・医療サポート枕１の枕底面において、ベルト７６を頭頂部寄り付近に複数装着することは、様々な患者へきめ細やかな対応を行う医療の分野では必要である。
【０１２２】
同様に、頭・頸・医療サポート枕１は、図２１（ａ）に示されるように腹臥位にて使用することができる。本変形例では、第一支持部材１２および第二支持部材１３に、第二溝部１６に平行に延びる態様にて面状ファスナのフック部４４を取り付けることが好ましい。本変形例によれば、ベルト７６の取り付け位置を移動固定できるようにする。これにより、例えば、使用者が腹臥位をとらなければならない場合、使用者は、第一溝部１５もしくは第二溝部１６の隙間に顔を埋めることで楽に呼吸をすることができる。
また、同図２１（ｂ）に示されるように、それでも息がし辛い場合。すなわち顔面を横に向くことができない、床面・長手方向を向いたままの固定ができない等は、ベルト７６と枕袋１０との間の隙間から、端部１２ｂより第二溝部１６に沿って酸素吸入チューブ８５を導入することができる。本変形例によれば、酸素吸入マスク８６が取り付けられた顔面・頚椎前面が一体の状態でも、後述するコルセット固定をしても高さ・角度・長さ・幅が自由自在に調整できる。
【０１２３】
上記変形例においては、一対のフック部４４を第一支持部材１２と第二支持部材１３にそれぞれ取り付けるようにしたが、本発明はこれに限られるものではなく、一対のフック部４４を第一支持部材１２のみ、もしくは第二支持部材１３のみに取り付けるようにしてもよい。また、第一実施形態〜第七実施形態にて説明した頭・頸・医療サポート枕１のいずれかにフック部４４を取り付けてもよい。この場合は、ベルトを用いて第一支持部材１２および第二支持部材１３の形状を変更することができるため、上記実施形態（１）〜（１０）で説明した作用効果に準じた作用効果を奏することができるようになる。
【０１２４】
また図２２に示されるように、第一支持部材１２および第二支持部材１３に、第二溝部１６に平行に延びる態様にて面状ファスナのフック部４４を取り付けてもよい。本変形例によれば、同図２２（ａ）に矢印にて示されるように、使用者の頭部の重みによって第一支持部材１２と第二支持部材１３とが離間する場合には、同図２２（ｂ）に示されるようにベルト７６を用いて第一支持部材１２および第二支持部材１３を第二溝部１６よりに寄せることができる。これにより、使用者の後頭部の頭頂部を高く維持することができる。
使用者の頭部および頸部が小さい場合に、第二溝部１６、第一溝部１５を浅くしたい場合は、同図２２（ｃ）に矢印にて示されるようにベルト７６を第一溝部１５に近接する位置まで移動させた後、フック部４４とループ部４５とを係合させる。これにより、頭部および頸部が小さい使用者であっても、第二溝部１６、第一溝部１５の深さを所望の深さに固定することができる。
一方、頸部および頭部が大きい使用者が第二溝部１６、第一溝部１５を広くしたい場合は、同図２２（ｄ）に示されるようにベルト７６を端部１２ｂ，１３ｂ寄りに移動させ、フック部４４同士の距離を所望の距離に固定することができる。このように、頭部および頸部の大きさや負荷に応じて、各使用者に馴染むように微細な調整をすることができるようになる。
又、使用者自身または使用者に対して第三者（介護者等）が、頭・頸・医療サポート枕１の形状の微細な調整を行うことができる。
【０１２５】
上記実施形態では、面状ファスナを用いてベルト４１を固定部４２に着脱可能としたが、本発明はこれに限られるものではない。例えば、図２３に示されるようにベルト４１の長さを調整するアジャスタ７１を取り付けるようにしてもよい。アジャスタ７１は、ポリカーボネート等の樹脂や金属等のような剛性の高い材料からなる。
【０１２６】
図２３に示されるように、アジャスタ７１は、頸部支持部材１４の端部１４ｂに固定されている。ベルト４１は、アジャスタ７１の内部および鞘５１に通されており、一方の端部は、アジャスタ７１内部の長孔に通されて、ベルト４１の他の部分に逢着されている。ベルト４１の他端は、固定されない自由端部となっている。こうして、ベルト４１は、一方の端部をアジャスタ７１に連結した状態で、アジャスタ７１および鞘５１に対してスライド移動可能に組みつけられている。ベルト４１は、アジャスタ７１と鞘５１との間においてループ状に、すなわちベルト４１の一部を他の部分と重複させるように取り付けられている。
【０１２７】
同図２３に示されるように、アジャスタ７１は、基盤７３、押さえ部７２および図示しないトーションバネを備えている。トーションバネは、押さえ部７２を基盤７３に押し付けるように、押さえ部７２を付勢している。すなわち、ベルト４１は、基盤７３と押さえ部７２とにより挟持されている。
【０１２８】
本変形例によれば、使用者は、押さえ部７２を基盤７３から離して、すなわちベルト４１を基盤７３および押さえ部７２によって挟持された状態から解放して、ベルト４１をアジャスタ７１および鞘５１に対してスライド移動することにより、ベルト４１の長さを調整することができる。そして、使用者は、ベルト４１の長さを所望の長さとした後、押さえ部７２と基盤７３との間にベルト４１を再び挟持させることで、ベルト４１の長さを所望の長さに維持することができるようになる。
【０１２９】
また、図２４に示されるように、アジャスタ７１に代えて、長方形状のベルト固定具７４を取り付けてもよい。ベルト固定具７４には短手方向に短く、長手方向にベルト４１の巾より少し長く延びる複数の孔が設けられており、ベルト４１は、これらの孔を貫通するように取り付けられている。
本変形例によれば、使用者は、ベルト４１の長さを所望の長さとした後、このベルト固定具７４に設けられた孔にベルト４１を貫通させる。ベルト４１とベルト固定具７４との間の摩擦により、使用者は、ベルト４１の長さを所望の長さに維持することができるようになる。
【０１３０】
上記実施形態では、把持部４３が端部１２ｂ，１３ｂ，１４ｂ、および側端部１２ｃ，１３ｃ，１４ｃの外側まで延出するようにしたが、本発明はこれに限られるものではない。例えば、把持部４３が頭・頸・医療サポート枕１と床面またはベッド面との間に挟まれるようにしてもよい。本実施の形態においても、上記作用効果に準じた作用効果を奏することができるようになる。
【０１３１】
上記第１実施形態では、鞘５１を端部１４ａに取り付けるようにしたが、鞘５１に代えて、図２５に示されるように、面取りされた矩形形状のリング６４（本発明の「保持部材」に相当）を端部１４ａに取り付けるようにしてもよい。リング６４は、一辺が固定布４６を介して頸部支持部材１４の端部１４ａに取り付けられている。そして、リング６４の内部を貫通するように、ベルト４１が取り付けられている。
【０１３２】
把持部４３が端部１４ｂに向けて引っ張られると、ベルト４１がリング６４に対してスライド移動し、固定部４２がリング６４に近接するため、端部１４ａと端部１４ｂとが近接するようになる。したがって、本変形例においても、上記（１）に準じた作用効果を奏することができるようになる。
【０１３３】
図２６に示されるように、頸部支持部材１４の端部１４ｂ近傍に円形のガイドリング８４を取り付けてもよい。本変形例では、ベルト４１は、頸部支持部材１４の端部１４ｂに一端が逢着され、鞘５１に向けて延出している。そして、鞘５１で折り返されて頸部支持部材１４の端部１４ｂに向けて延出している。このベルト４１は、ガイドリング８４を貫通している。本変形例によれば、ベルト４１がガイドリング８４を貫通しているため、使用者自身または使用者に対して第三者（介護者等）は、側端部１４ｃの外側方向に向けてベルト４１を所望の位置まで引き、緩めなおした後、ループ部４５をフック部４４に付けて調整することができるようになる。
【０１３４】
図２７（ａ）〜（ｄ）に示されるように、ベルト４１を引っ張り出すことによって、使用者の頭部の角度を変更するようにしてもよい。すなわち、図２７（ａ）に示されるように、頸部支持部材１４の高さ方向における寸法（ｈ１）が大きく使用者の顎が上がっている場合は、図２７（ｂ）に示されるように、頸部支持部材１４に取り付けられているベルト４１を緩め、頸部支持部材１４の高さ方向における寸法を小さくして（ｈ２）使用者の顎を下げるとよい。また、図２７（ｃ）に示されるように、頭部支持部材１１の高さ方向における寸法（ｈ１）が小さく使用者の顎が上がっている場合は、図２７（ｄ）に示されるように、頭部支持部材１１に取り付けられているベルト４１を引っ張り出し、頭部支持部材１１の高さ方向における寸法を大きくして（ｈ２）、使用者の顎を下げるとよい。
【０１３５】
また、頭・頸・医療サポート枕１に仰臥し、頸部にコルセットを装着する状態は、頸部損傷の症例に応じて、頭部に対する頸部の角度・回旋・高さ等、コルセット装着態様は様々である。例として、当該コルセットによって使用者の頸部が持ち上げられて不具合を生じる位置の場合を挙げる。図２８（ａ）に示されるように、頸部支持部材１４に取り付けられたベルト４１を緩めて頸部支持部材１４の高さ方向（図２８中のＺ軸方向）における寸法を小さくし、使用者の頸部の高さを下げることができる。
【０１３６】
また、本発明にかかる頭・頸・医療サポート枕１によれば、１つの頭・頸・医療サポート枕１で、交通事故や災害等で頸椎損傷・頸椎手術した後等に、同図２８（ｂ）に示されるように、固定コルセットを装着した状態のまま、その長さ、高さおよび角度を調整し、患者に対して好位置にて固定することができる。例えば医療の中で頸椎を手術しても、イ・手術のテクニック不足、ロ・手術後の管理不足により、頸椎を再手術しなければならない脊椎（頸椎）手術後症候群を発症することがある。しかし本発明によれば、ロ・術後管理不足においては、再手術を回避する手段として、同図２８（ｂ）に示されるように頭・頸・医療サポート枕１の上で固定コルセットを装着した状態で複数回のレントゲン・ＭＲＩ検査などきめ細かい検査を行うことができる。そのため、同図２８（ａ）に記載されるような微妙な長さ、高さおよび角度の調整を調整することができ、ひいては全ての患者に好位置固定することができるようになる。このため、本発明にかかる頭・頸・医療サポート枕１は、再手術を回避する１つの手段として充分果たし得る。また、同図２８（ｃ）に示されるように装着したコルセットを外した後、同じ１つの頭・頸・医療サポート枕１を、好位置での頭・頸・医療サポート枕１へと容易に変化させることもできる。
【０１３７】
上記実施形態では、図２９（ａ）に示されるように、第一支持部材１２、第二支持部材１３と頸部支持部材１４の体積は差があるようにしたが、本発明の頭・頸・医療サポート枕１の形状はこれに限られるものではない。図２９（ｂ）に示される頭・頸・医療サポート枕９のように、頸部支持部材９４の頭・頸・医療サポート枕９全体に占める体積を大きくして、頭部支持部材９１と頸部支持部材９４の体積が等しくなるようにしてもよい。
【０１３８】
上記実施形態では、頭部および頸部を支持する例について説明したが、本発明にかかる頭・頸・医療サポート枕１の使用方法はこれに限られるものではなく、図３０に示されるように、腰部および臀部等を支持するようにしてもよい。これにより医療現場等で寝たきり状態にある患者等の腰部や骨盤などの位置調整も可能になる。また、声を出すことができない患者に対して、褥創（とこずれ）の科学的検査（例えば、赤外線による皮膚温度の測定）を行う際、好位置決定をして追跡調査を行うことができるようになる。
【０１３９】
上記実施形態では、使用者が鉛直方向上方を向いて仰臥した場合について説明したが、本発明はこれに限られるものではない。図３１に示されるように、使用者を斜め向きに仰臥させ、第二支持部材１３の高さ方向の寸法を大きくするとともに、第一支持部材１２の高さ方向の寸法を小さくすることで、使用者の頭部の向きを維持するようにしてもよい。本変形例によれば、医療における患者の頭部および頸部の回転（頭部単独、頸部単独または頭部と頸部の双方の微妙な回転であってもよい）による角度固定において、出来得る範囲での、例えば１５度でも２１度、３９度、４３度・・・などいろいろな角度に固定することができるようになる。
【０１４０】
図３２（ａ）および（ｂ）に示されるように、第一支持部材１２の上面、第二支持部材１３の上面および頸部支持部材１４の上面にガイド８３ａ〜８３ｃを取り付けてもよい。これらガイド８３ａ〜８３ｃは、中心部分が婉曲した婉曲形状に形成されており、第一溝部１５に直交するようにそれぞれ両端部が枕袋１０に固定されている。
【０１４１】
ベルト４１は、ガイド８３ａ〜８３ｃのうち、いずれかを介して外部に延出する。また、ベルト４１には面状ファスナのフック部４４およびループ部４５が取り付けられている。
ここで、図３２（ｃ）に、ベルト４１がガイド８３ｃを介して外部に延出する場合の模式図を示す。ベルト４１は、一端が底面に逢着されており、ガイド８３ｃを介して外部に延出している。この延出している部分は把持部４３となっている。
【０１４２】
次に、図３３（ａ）〜（ｃ）を参照しながら、ベルト４１がガイド８３ｃを介して外部に延出する場合における頭・頸・医療サポート枕１の使用方法を説明する。ベルト４１が引っ張られると、枕袋１０は、図３３（ｃ）に矢印にて示されるように、ロール状に巻き込まれる。このため、頸部支持部材１４の長手方向（図３３（ｃ）中のＸ軸方向）の寸法は小さくなる。すなわち、同図３３（ａ）に示される寸法Ｗ１から同図３３（ｂ）に示される寸法Ｗ２となる。なお、このように長手方向の寸法を変更することにより、高さ方向（図３３（ｃ）中のＺ軸方向）の寸法も調整することができる。
【０１４３】
また、このように枕袋１０をロール状に巻き込んだ際、面状ファスナのフック部４４とループ部４５とを接合することにより、このように枕袋１０を巻き込んだ状態に枕袋１０の形状を維持することができる。
またさらに、第一支持部材１２の長手方向の寸法、および第二支持部材１３の長手方向の寸法も、これら第一支持部材１２と第二支持部材１３にそれぞれ取り付けられたベルト４１を調整することにより、変更することができる。
【０１４４】
なお、上述した例では、ベルト４１がガイド８３ｃを介して外部に延出する場合について説明したが、使用者の体型によっては、ガイド８３ａまたはガイド８３ｂを介して外部に延出させることもできる。また、枕袋１０に取り付けるガイドの数、およびベルト４１の数は上述した数に限られるものではなく、適宜変更することができる。
【０１４５】
本変形例によれば、使用者の体型に合わせてベルト４１を頭・頸・医療サポート枕１の長手方向の寸法、高さ方向の寸法および角度を変更することができる。
上述した医療の中で頸椎において、脊椎（頸椎）手術後症候群でロ・手術後の管理不足に対しても本発明は有効である。また医療の頸椎の分野においては、頭・頸・医療サポート枕１の同図３３（ａ）に示される寸法Ｗ１の幅は、神経の障害患者に影響を与えることが知られている。このため、（ａ）に示される寸法Ｗ１の幅を、同図３３（ｂ）に示される寸法Ｗ２等の幅などに変更することができるという点も本発明の特徴となる。これは、ガイド８３を単独で使用した場合であっても同様であり、また上述した固定コルセット装着、図３２および図３３に記載されるガイド８３ａ〜８３ｃと、複数回のきめ細かい検査によるより微妙な長さ、高さおよび角度の調整ができる。
そのため、全ての患者に好位置固定することができるので、一緒に使用しても良い。なお、神経の患者に与える影響では、頸部支持部材１４の長さ（巾）も非常に重要になるので、上述した各実施形態との組み合わせて細微な調整もできる。
【０１４６】
上記第二実施形態では、頸部支持部材１４に、独立した一対の鞘５１を取り付けるようにしたが、本発明はこれに限られるものではない。これらの鞘５１を一体化させて、頸部支持部材１４の両側の側端部１４ｃに向けてそれぞれ開口する単一部材からなる鞘５１となるようにしてもよい。
【０１４７】
上記実施形態では、枕袋１０および枕袋１０に充填される素材からなる頭・頸・医療サポート枕１について説明したが、本発明はこれに限られるものではない。例えば、ポリプロピレンを用いて一体形成された頭・頸・医療サポート枕１を用いるようにしてもよい。
【０１４８】
ベルト４１の取り付け方向、取り付け位置および取り付けられる数は上記実施形態で説明したものに限られない。例えば、第一実施形態では頸部支持部材１４にのみベルト４１を取り付けているが、本発明はこれに限られるものではなく、第一支持部材１２および第二支持部材１３にもベルト４１を取り付けるようにしてもよい。
この場合、第一支持部材１２および第二支持部材１３に取り付けられるベルト４１は、端部１２ｂ，１３ｂに固定部４２が、第一溝部１５近傍に鞘５１が取り付けられることが好ましい。また、第一実施形態ではベルト４１を二本取り付けるようにしているが、小枕２１に近接した位置にベルト４１を追加して取り付けてもよい。
【０１４９】
第二実施形態では頭・頸・医療サポート枕１に四本のベルト４１を取り付けるようにしているが、本発明におけるベルト４１の本数はこれに限られるものではない。側端部１２ｃに固定部４２が取り付けられるベルト４１と、第二溝部１６近傍に取り付けられる鞘５１との組み合わせを複数増やしてもよい。また、側端部１３ｃに固定部４２が取り付けられるベルト４１と、第二溝部１６近傍に取り付けられる鞘５１との組み合わせを複数増やしてもよい。またさらに、側端部１４ｃに固定部４２が取り付けられるベルト４１と、頸部支持部材１４の中央部分に取り付けられる鞘５１との組み合わせを増やしてもよい。
【０１５０】
第一実施形態および第二実施形態では、ベルト４１を鞘５１に挿入された方向に折り返すようにしているが、角度においては出来得る範囲、例えば１５度でも３９度・４３度・・・など色々な角度に固定できるのが本発明の特徴である。しかし、本発明はこれに限られるものではなく、鞘５１に挿入された方向に対して所定角度（例えば、４５度）傾斜して折り返すようにしてもよい。
【０１５１】
第三実施形態では端部１４ｂに固定部４２を取り付けるとともに端部１２ｂに向けて把持部４３が延出するようにしているが、本発明のベルト４１の取り付け方向はこれに限られるものではなく、端部１２ｂに固定部４２を取り付けるとともに、端部１４ｂに向けて把持部４３が延出するようにしてもよい。または、側端部１２ｃおよび側端部１２ｃに隣接する側端部１４ｃに固定部４２を取り付けるとともに、側端部１３ｃおよび側端部１３ｃに隣接する側端部１４ｃに向けて把持部４３が延出するようにしてもよい。
もしくは、側端部１３ｃおよび側端部１３ｃに隣接する側端部１４ｃに固定部４２を取り付けるとともに、側端部１２ｃおよび側端部１２ｃに隣接する側端部１４ｃに向けて把持部４３が延出するようにしてもよい。また、第三実施形態では頭・頸・医療サポート枕１に四本のベルト４１を取り付けるようにしているが、側端部１２ｃ，１３ｃ寄りにベルト４１を追加して取り付けてもよい。又は、取り付けるベルト４１の数を減らしてもよい。
【０１５２】
第四実施形態において、取り付けるベルト４１の数を追加、または減少してもよい。
【０１５３】
第一実施形態、第三実施形態および第四実施形態では、側端部１２ｃ，１３ｃ，１４ｃと平行になるようにベルト４１を取り付けているが、角度においては出来得る範囲、例えば１５度でも３９度、４３度・・・など色々な角度に固定できるのが本発明の特徴である。しかし本発明はこれに限られるものではなく、側端部１２ｃ，１３ｃ，１４ｃに対して所定角度（例えは、４５度）傾斜するように取り付けてもよい。
同様に、第二実施形態では、端部１２ｂ，１３ｂ，１４ｂに対して平行となるようにベルト４１を取り付けているが、角度においては出来得る範囲、例えば１５度でも３９度、４３度・・・など色々な角度に固定できるのが、やはり本発明の特徴である。本発明はこれに限られるものではなく、端部１２ｂ，１３ｂ，１４ｂに対して所定角度（例えば、４５度）傾斜するように取り付けてもよい。
【０１５４】
人の脊柱は、図３４（ａ）に示されるように、腰椎前弯・胸椎後弯・頚椎前弯の生理的なだらかな理想Ｓ字カーブを描く場合、重力による負荷をクッションの役目として果たすことができる。
脊柱の正常理想的位置関係は諸説あるが、同図３４（ｂ）頭部・頸部における理想的位置関係として、起立位で側方よりみて示す。頭頂より垂線を垂らし、垂線が耳穴から理想Ｓ字カーブ頚椎を通り、肩関節中央を通り、理想Ｓ字カーブ胸椎を通り、理想Ｓ字カーブ腰椎を通り、股関節、膝関節を通り、外果（くるぶし）・床面まで伸びる線上にあるのが理想とされる。
【０１５５】
同図３４（ａ）および（ｂ）に示されるように、その線上の中で頭部に対する顎を引いた頚椎であれば、正常な理想的Ｓ字カーブを造り、同図３４（ｃ）に示されるように各椎間孔より出ている神経に好影響を与える。
一方、同図３４（ｄ）および（ｅ）に示されるように、線上の中で頭部に対する前屈（前かがみ）姿勢であれば、なだらかなＳ字カーブが消失する。そのため、同図３４（ｆ）に示される各椎間孔より出ている神経に不具合を与え、重力に対して人体がバランスを取ろうとする「骨Ｃａイオン化現象」とよばれる現象が発生し、同図３４（ｆ）に示されるように骨棘７７を形成しやすい頚椎骨になりやすいのが実証されている。
【０１５６】
この正常起立位を同図３４（ｇ）に示される寝姿仰臥位にして側方からみると、上述した同図３４（ａ）および（ｂ）に示される正常位を床水平に対して頭頂より頭部耳穴よりの、なだらかな理想Ｓ字カーブを考え、頭部・頸椎を通る線上を求めるなら、具体的に頭・頸・医療サポート枕１をベッドで使用することは、同図３４（ｇ）に示される顎を引き理想的なだらかなＳ字カーブができる高さとすることである。
【０１５７】
この点、上述した各実施形態および各変形例に記載した頭・頸・医療サポート枕１によれば、使用者の体型に合わせてその形状を容易に変更できる。そのため、脊柱が理想Ｓ字カーブを描くような姿勢に人体を保つことができ、使用者自身または使用者に対して第三者（介護者等）も、頭・頸・医療サポート枕１の形状を調整することができるようになる。
また幼少年期より携帯電話、ＩＴ機器およびパソコンなどに囲まれ、不自然な前かがみ（前屈）姿勢で頸椎後弯姿勢が多くなっているため、少しでもリラックスできる睡眠時だからこそ、なだらかな理想Ｓ字カーブを、各人の頸部・頭部に対して調整できる、本発明の頚・頭・医療サポート枕１は、現代・未来の人々・医療にも求められる。
【０１５８】
上記第一実施形態では、鞘５１を枕袋１０に着脱可能に取り付けている。しかし、本発明における鞘の取り付け態様はこれに限られるものではなく、鞘５１が枕袋１０に着脱可能とならないよう、鞘５１を枕袋１０に逢着してもよい。
【０１５９】
なお、医学書には睡眠時に於ける枕の基準は「高すぎない、低すぎない枕が良いでしょう」、ベッドは「（例．腰後面の頂点とベッド面が１０〜２０ｍｍ）ほどよい硬さのベッドがよいでしょう。」と漠然と書かれている。
また、通常一般人には「枕が高すぎない、低すぎない」「ほどよい硬さのベッド」の基準はない。そして、枕の高低、ベッドの硬軟は「気持ちよければ」と言う好みがあり人さまざまである。しかし、頚・頭・医療サポート枕１、頚・頭・医療サポート枕９は、高さ・角度・長さ・幅が自由自在に調整できる。
そのため、仰臥位でのベッド・床面の硬・柔どのような状態でも、人が感じる接触面が「フィットし馴染める・気持ち良い」感じに対応できる。また、腹臥位での頚・頭・医療サポート枕９使用でも、ベッド・床面の硬・柔どのような状態でも、人が感じる接触面が「フィットし馴染める・気持ち良い」感じに対応でき、微細なところまで調整することが可能である。
【符号の説明】
【０１６０】
１…頭・頸・医療サポート枕
９…頭・頸・医療サポート枕
１０…枕袋
１１…頭部支持部材
１２…第一支持部材
１３…第二支持部材
１４…頸部支持部材
１５…第一溝部
１６…第二溝部
２１…小枕
２２…鞘
４１…ベルト
４２…固定部
４３…把持部
４４…フック部
４５…ループ部
４６…固定布
４７…フック部
４８…ループ部
４９…ベルト
５１…鞘
５２…ケース
５３…隔壁
５４…第一開口部
５５…第二開口部
５６…鞘
５７…鞘
５８…鞘
５９…鞘
６１…軸
６２…回転体
６３…ボールベアリング
６４…リング
６５…鞘
７１…アジャスタ
７２…押さえ部
７３…基盤
７４…ベルト固定具
７５…ガイド部
７６…ベルト
７７…骨棘
７８…椎間孔
８１…線ファスナ
８２…内布
８３ａ〜８３ｃ…ガイド
８４…ガイドリング
８５…酸素吸入チューブ
８６…酸素吸入マスク
９０…枕袋
９１…頭部支持部材
９２…第一支持部材
９３…第二支持部材
９４…頸部支持部材
９５…第一溝部
９６…第二溝部
【図１】
0006037291.tif 000002
【図２】
0006037291.tif 000003
【図３】
0006037291.tif 000004
【図４】
0006037291.tif 000005
【図５】
0006037291.tif 000006
【図６】
0006037291.tif 000007
【図７】
0006037291.tif 000008
【図８】
0006037291.tif 000009
【図９】
0006037291.tif 000010
【図１０】
0006037291.tif 000011
【図１１】
0006037291.tif 000012
【図１２】
0006037291.tif 000013
【図１３】
0006037291.tif 000014
【図１４】
0006037291.tif 000015
【図１５】
0006037291.tif 000016
【図１６】
0006037291.tif 000017
【図１７】
0006037291.tif 000018
【図１８】
0006037291.tif 000019
【図１９】
0006037291.tif 000020
【図２０】
0006037291.tif 000021
【図２１】
0006037291.tif 000022
【図２２】
0006037291.tif 000023
【図２３】
0006037291.tif 000024
【図２４】
0006037291.tif 000025
【図２５】
0006037291.tif 000026
【図２６】
0006037291.tif 000027
【図２７】
0006037291.tif 000028
【図２８】
0006037291.tif 000029
【図２９】
0006037291.tif 000030
【図３０】
0006037291.tif 000031
【図３１】
0006037291.tif 000032
【図３２】
0006037291.tif 000033
【図３３】
0006037291.tif 000034
【図３４】
0006037291.tif 000035